(57)【要約】【課題】  基準白色板の表面の損傷、損耗を低減させて読取性能を良好に維持できるようにする。【解決手段】  吸着搬送される紙葉類Ｐをガイド面１１ａに沿ってガイドする搬送基準ブロック１１と、この搬送基準ブロック１１のガイド面１１ａに設けられ、搬送される紙葉類Ｐに対向して摺接される第１の基準白色板２１と、搬送基準ブロック１１のガイド面１１ａに紙葉類Ｐの搬送エリアを外れて設けられた第２の基準白色板２９と、搬送基準ブロック１１に沿って吸着搬送される紙葉類Ｐ、及びこの紙葉類Ｐを介して第１の基準白色板２１に光を照射し、さらに、第２の基準白色板２９に光を照射する光源１８と、この光源１８によって照射されて紙葉類Ｐ、及び第１の基準白色板２１、さらに第２の基準白色板２９から反射される光を受光して紙葉類Ｐの情報を読み取るＣＣＤセンサ１９と、第１の基準白色板２１の表面に設けられた表面保護ガラス２４とを具備する。【選択図】      図２
2006201955.tif 000002
【特許請求の範囲】
【請求項１】
紙葉類を吸着搬送する搬送手段と、
この搬送手段によって吸着搬送される紙葉類をガイド面に沿ってガイドするガイド手段と、
このガイド手段のガイド面に設けられ、前記搬送される紙葉類に対向して摺接される基準色部材と、
前記ガイド手段に沿って吸着搬送される紙葉類、及びこの紙葉類を介して前記基準色部材に光を照射する光照射手段と、
この光照射手段によって照射されて前記紙葉類、及び前記基準色部材から反射される光を受光して前記紙葉類の情報を読み取る読取手段と、
前記基準色部材の表面に設けられた表面保護部材と
を具備することを特徴とする紙葉類読取装置。
【請求項２】
前記表面保護部材はガラス材であることを特徴とする請求項１記載の紙葉類読取装置。
【請求項３】
紙葉類を吸着搬送する搬送手段と、
この搬送手段によって吸着搬送される紙葉類をガイド面に沿ってガイドするガイド手段と、
このガイド手段のガイド面に設けられ、前記搬送される紙葉類に対向して摺接される第１の基準色部材と、
前記ガイド手段のガイド面に前記紙葉類の搬送エリアを外れて設けられた第２の基準色部材と、
前記ガイド手段に沿って吸着搬送される紙葉類、及びこの紙葉類を介して前記第１の基準色部材、さらに、前記第２の基準色部材に光を照射する光照射手段と、
この光照射手段によって照射されて前記紙葉類、及び前記第１の基準色部材さらに、前記第２の基準色部材から反射される光を受光して前記紙葉類の情報を読み取る読取手段と、
前記第１の基準色部材の光反射率を前記第２の基準色部材の光反射率に基づいて補正する補正手段と、
を具備することを特徴とする紙葉類読取装置。
【請求項４】
紙葉類を吸着搬送する搬送手段と、
この搬送手段によって吸着搬送される紙葉類をガイド面に沿ってガイドするガイド手段と、
このガイド手段のガイド面に設けられ、前記搬送される紙葉類に対向して摺接される基準色部材と、
前記ガイド手段に沿って吸着搬送される紙葉類、及びこの紙葉類を介して前記基準色部材に光を照射する光照射手段と、
この光照射手段によって照射されて前記紙葉類、及び前記基準色部材から反射される光を受光して前記紙葉類の情報を読み取る読取手段と、
前記ガイド手段のガイド面の紙葉類搬送エリアに紙葉類の搬送方向に沿って設けられた溝部と
を具備することを特徴とする紙葉類読取装置。
【請求項５】
前記搬送手段は所定間隔を存して平行に配設される一対の吸着ベルトを有し、
前記溝部は前記一対の吸着ベルト間に位置して平行に設けられることを特徴とする請求項４記載の紙葉類読取装置。
【発明の詳細な説明】
【技術分野】
【０００１】
本発明は、例えば、紙幣処理装置等の紙葉類処理装置に備えられ、搬送される紙幣の金種等を読み取る紙葉類読取装置に関する。
【背景技術】
【０００２】
紙葉類処理装置には、供給部から紙葉類を１枚づつ供給し、この供給された紙葉類を搬送ベルトによって読取装置に挟持搬送し、この読取装置で読み取った情報に基づいて紙葉類を指定された集積部に搬送して区分集積するものがある。
【０００３】
読取装置には、光源により紙葉類全面に光を走査し、紙葉類から反射される光を受光部で受光することによりその情報読み取るものがある。この種の読取装置では、紙葉類の全面に対する光照射を可能とするために、紙葉類を搬送ベルトで挟持して搬送することができず、紙葉類を搬送ベルトに吸着させて基準白色板に紙葉類を摺接させながらその情報を読み取るようにしている。（例えば、特許文献１参照。）。
【０００４】
ところで、基準白色板は基準色を得るために用いられるもので、その材料が限られ、十分な硬度が得られない。
【０００５】
また、情報の読取深度を得るため、紙葉類が基準白色板の上を通過するときには、基準白色板に摺接してしまう。
【特許文献１】特開平６−７２５９４号公報
【発明の開示】
【発明が解決しようとする課題】
【０００６】
しかしながら、従来においては、基準白色板の表面硬度が十分ではなく、紙葉類が摺接すると、基準白色板が損傷、或いは損耗して読取性能が著しく低下してしまうという不都合があった。
【０００７】
なお、基準白色板の損傷を回避するためには、基準白色板を紙葉類表面より遠ざけると良いが、この場合には、安定した反射率を得ることができないという問題がある。
【０００８】
本発明は上記事情に着目してなされたもので、その目的とするところは、基準反射板の表面の損傷、損耗を低減できるようにした紙葉類読取装置を提供することにある。
【課題を解決するための手段】
【０００９】
上記課題を解決するため、請求項１記載のものは、紙葉類を吸着搬送する搬送手段と、この搬送手段によって吸着搬送される紙葉類をガイド面に沿ってガイドするガイド手段と、このガイド手段のガイド面に設けられ、前記搬送される紙葉類に対向して摺接される基準色部材と、前記ガイド手段に沿って吸着搬送される紙葉類、及びこの紙葉類を介して前記基準色部材に光を照射する光照射手段と、この光照射手段によって照射されて前記紙葉類、及び前記基準色部材から反射される光を受光して前記紙葉類の情報を読み取る読取手段と、前記基準色部材の表面に設けられた表面保護部材とを具備する。
【００１０】
請求項３記載のものは、紙葉類を吸着搬送する搬送手段と、この搬送手段によって吸着搬送される紙葉類をガイド面に沿ってガイドするガイド手段と、このガイド手段のガイド面に設けられ、前記搬送される紙葉類に対向して摺接される第１の基準色部材と、前記ガイド手段のガイド面に前記紙葉類の搬送エリアを外れて設けられた第２の基準色部材と、前記ガイド手段に沿って吸着搬送される紙葉類、及びこの紙葉類を介して前記第１の基準色部材、さらに、前記第２の基準色部材に光を照射する光照射手段と、この光照射手段によって照射されて前記紙葉類、及び前記第１の基準色部材さらに、前記第２の基準色部材から反射される光を受光して前記紙葉類の情報を読み取る読取手段と、前記第１の基準色部材の光反射率を前記第２の基準色部材の光反射率に基づいて補正する補正手段とを具備する。
【００１１】
請求項４記載のものは、紙葉類を吸着搬送する搬送手段と、この搬送手段によって吸着搬送される紙葉類をガイド面に沿ってガイドするガイド手段と、このガイド手段のガイド面に設けられ、前記搬送される紙葉類に対向して摺接される基準色部材と、前記ガイド手段に沿って吸着搬送される紙葉類、及びこの紙葉類を介して前記基準色部材に光を照射する光照射手段と、この光照射手段によって照射されて前記紙葉類、及び前記基準色部材から反射される光を受光して前記紙葉類の情報を読み取る読取手段と、前記ガイド手段のガイド面の紙葉類搬送エリアに紙葉類の搬送方向に沿って設けられた溝部とを具備する。
【発明の効果】
【００１２】
本発明によれば、基準色部材の表面の損傷、損耗を低減でき、その読取性能を長期間に亘って良好に維持できる。
【発明を実施するための最良の形態】
【００１３】
以下、本発明を図面に示す実施の形態を参照して詳細に説明する。  
図１は紙葉類読取装置を概略的に示す構成図である。
【００１４】
この紙葉類読取装置は紙幣等の紙葉類を搬送する搬送手段として搬送装置部１と、この搬送装置部１によって搬送される紙葉類の情報を読み取る読取手段としての読取装置部２とを有して構成されている。
【００１５】
搬送手段１は紙葉類の搬送方向に沿って配設される第１乃至第３の搬送部３〜５を備えている。第１の搬送部３は紙葉類を挟持搬送する上下一対の搬送ベルト７，８を有して構成されている。
【００１６】
第２の搬送部４は吸着搬送ベルト１０を備え、この吸着ベルト１０はガイド手段としての搬送基準ブロック１１の上面部（ガイド面）１１ａに沿って走行される。搬送基準ブロック１１はチャンバブロック１３に取り付けられ、チャンバブロック１３には空気管路１４を介して吸着用ポンプ１６が接続されている。
【００１７】
吸着搬送ベルト１０には吸着孔１０ａ（図２に示す）が穿設され、搬送基準ブロック１１及びチャンバブロック１３には吸着搬送ベルト１０の吸着孔１０ａに連通する連通孔１１ａ，１３ａが穿設されている。
【００１８】
吸着用ポンプ１６の駆動により、空気管路１４を介してチャンバブロック１３内のエアーが吸引され、この吸引により吸着搬送ベルト１０上のエアーが吸着孔１０ａ及び連通孔１１ａ，１３ａを介してチャンバブロック１３内に吸引される。この吸引により紙葉類Ｐが吸着搬送ベルト１０上に吸着されることになる。
【００１９】
読取装置部２は搬送基準ブロック１１の上方部に位置して設けられている。この読取装置部２の内部には紙葉類Ｐに光を照射する光照射手段としての光源１８が設けられているとともに、ＣＣＤセンサ１９が設けられている。
【００２０】
ＣＣＤセンサ１９は、紙葉類Ｐから反射される光、及び後述する第１及び第２の基準白色板２１，２９から反射される光を受光して紙葉類Ｐの情報を読み取るようになっている。
【００２１】
ＣＣＤセンサ１９には補正手段２０が接続され、この補正手段２０は第１及び第２の基準白色板２１，２９からの反射光をＣＣＤセンサ１９が受光するのに基づいて第１の基準白色板２１の反射率を補正するものである。
【００２２】
図２は第２の搬送部４を示す斜視図である。
【００２３】
搬送基準ブロック１１の表面部には吸着搬送ベルト１０，１０間に位置し、吸着搬送ベルト１０，１０に対して直交する方向に沿って第１の基準白色板（第１の基準色部材）２１が設けられている。この第１の基準白色板２１は図３に示すように白色板２３とこの白色板２３の表面に設けられる表面保護部材としての硬質の保護ガラス２４とによって構成されている。この第１の基準白色板２１は取付ブロック２５を介してチャンバーブロック１３に取り付けられている。
【００２４】
また、搬送基準ブロック１１の表面部には吸着搬送ベルト１０，１０間に位置し、吸着搬送ベルト１０，１０に対して平行に溝部２７，２７が形成されているとともに、第１の基準白色板２１の長手方向に沿う側方部（紙葉類が搬送されない領域に）には第２の基準白色板（第２の基準色部材）２９が設けられている。
【００２５】
第３の搬送部５は上記した第１の搬送部３と同様に上下一対の搬送ベルト３０，３１を有して構成されている。
【００２６】
次に、上記したように構成される紙葉類読取装置の動作について説明する。
【００２７】
まず、紙葉類Ｐは第１の搬送部３の搬送ベルト７，８によって挟持搬送され、吸着ベルト１０，１０上に送出される。この吸着ベルト１０，１０上に送出された紙葉類は吸着ベルト１０，１０上に吸着されて搬送される。この搬送される紙葉類Ｐには光源１８から光が照射され、この照射により紙葉類Ｐから反射される光、及び第１の基準白色板２１から紙葉類Ｐを介して反射される光がＣＣＤセンサ１９に受光されて情報が読み取られる。このように情報が読み取られた紙葉類Ｐはその読取情報に基づいて例えば図示しない集積部に区分集積されることになる。
【００２８】
上記したように、この実施の形態によれば、第１の基準白色板２１の表面に保護ガラス２４を設けるため、第１の基準白色板２１の表面の損傷、もしくは摩耗を防止でき、紙葉類と基準白色板２１の反射率を同時に安定して得ることができる利点がある。
【００２９】
ところで、上記した読取時には、保護ガラス２４により第１の基準白色板２１の表面の損傷、もしくは摩耗を防止するが、時間の経過とともに紙葉類の汚れ、インク等が保護ガラス２４上に付着してしまい、基準白色板２１としての機能が低下していく。基準白色板２１の汚れがひどくなると、基準白色板２１と紙葉類Ｐとの光の反射率差が少なくなるため、読取性能が低下し、誤読、もしくは、読取エラーとなってしまう。
【００３０】
そこで、この実施の形態では、保護ガラス２４の汚れの影響を排除するために、紙葉類が搬送されない領域に上記したように第２の基準白色板２９を設けている。上記した読取時には、第１の基準白色板２１とともに、第２の基準白色板２９にも光が照射され、第２の基準白色板２９から反射する光もＣＣＤセンサ１９に受光される。この受光情報は補正手段２０に送信され、補正手段２０は受光情報に基づき第１の基準白色板２１と第２の基準白色板２９との状態を比較調整することによって、第１の基準白色板２１の汚れによる反射率の影響を補正する。これにより、長時間に亘って読取性能を維持することが可能となる。
【００３１】
また、搬送基準ブロック１１は、図２に示す通り、搬送ベルト１０，１０と平行に任意の数の溝部２７，２７を設けるため、紙葉類に作用する吸着負圧を低減することができる。
【００３２】
従って、第１の基準白色板２１に対し紙葉類が擦れる圧力が軽減され、第１の基準白色板２１へのインク等の転写を軽減でき、長時間安定した検知性能を維持できる。
【００３３】
なお、本発明は、上記一実施の形態に限られることなく、その要旨の範囲内で種々変形実施可能なことは勿論である。
【図面の簡単な説明】
【００３４】
【図１】本発明の一実施の形態である紙葉類読取装置を示す概略的構成図。
【図２】同紙葉類読取装置の吸着搬送部を示す斜視図。
【図３】同検知基準板を示す斜視図。
【符号の説明】
【００３５】
Ｐ…紙葉類、１…搬送装置部（搬送手段）、２…読取装置部（読取手段）、１０…吸着ベルト、１１ａ…ガイド面、１１…搬送基準ブロック（ガイド手段）、１８…光源（光照射手段）、２０…補正手段、２１…第１の基準白色板（第１の基準色部材）、２４…保護ガラス（保護部材）、２７…溝部、２９…第２の基準白色板（第２の基準色部材）。
【図１】
2006201955.tif 000003
【図２】
2006201955.tif 000004
【図３】
2006201955.tif 000005